(57)【要約】【課題】電球の種類を誤って装着した際の過熱による破損を抑制するので、より安全性を向上させる照明装置及びソケットを提供すること。【解決手段】照明光源を着脱可能に照明装置本体に設けた照明装置であって、照明装置本体は、照明光源を着脱可能に保持するソケットと、ソケットに設けられて、外部電源からの電力を照明光源へと電絡する出力端子部と、外部電源から出力端子部へと向う回路構成上における高電位側又は低電位側にカスケード接続した複数の過電流保護素子と、を備える。【選択図】図４
2017010693.tif 000002
【特許請求の範囲】
【請求項１】
照明光源を着脱可能に照明装置本体に設けた照明装置であって、
前記照明装置本体は、
前記照明光源を着脱可能に保持するソケットと、
前記ソケットに設けられて、外部電源からの電力を前記照明光源へと電絡する出力端子部と、
前記外部電源から前記出力端子部へと向う回路構成上における高電位側又は低電位側にカスケード接続した複数の過電流保護素子と、
を備えることを特徴とする照明装置。
【請求項２】
前記複数の過電流保護素子は、
所定の特性値以下となったときに自己復帰する復帰型である
ことを特徴とする請求項１に記載の照明装置。
【請求項３】
前記複数の過電流保護素子には、
少なくとも高低で２つの異なった特性値を有するものを用いる
ことを特徴とする請求項１又は請求項２に記載の照明装置。
【請求項４】
前記複数の過電流保護素子のうち、
特性値の低い前記過電流保護素子を前記外部電源側に配置し、
特性値の高い前記過電流保護素子を前記前記照明光源側に配置した
ことを特徴とする請求項３に記載の照明装置。
【請求項５】
前記過電流保護素子には、所定温度を超えると電流を遮断する正の温度係数を有するサーミスタが用いられ、
前記特性値の高低は、
前記過電流保護素子の最大定格電圧（Ｖ）、保持電流値（Ａ）、トリップ電流値（Ａ）、又は、前記過電流保護素子そのものの過熱に対する前記所定温度の何れか一つ以上を基準としている
ことを特徴とする請求項４に記載の照明装置。
【請求項６】
前記複数の過電流保護素子には、
同一の特性値を有するものを用いる
ことを特徴とする請求項１又は請求項２に記載の照明装置。
【請求項７】
前記過電流保護素子には、所定温度を超えると電流を遮断する正の温度係数を有するサーミスタが用いられる
ことを特徴とする請求項６に記載の照明装置。
【請求項８】
照明光源の口金と係合する受口金と、
前記受口金の裏側に配置した基板と、
前記基板に配置した複数の過電流保護素子と、
外部電源からの電力を前記基板へと電絡する電源線と、
前記受口金と前記基板とを搭載したソケット本体と、
前記電源線を貫通させるとともに前記ソケット本体を嵌合状態で保持するソケットカバーと、
を備えることを特徴とするソケット。
【発明の詳細な説明】
【技術分野】
【０００１】
本発明は、照明装置及びソケットであって、特に、照明光源を着脱可能に照明装置本体に設けた照明装置及びソケットに関する。
【背景技術】
【０００２】
従来、照明光源を着脱可能に照明装置本体に設けた照明装置には、近年の省エネ化に伴い、照明光源に発光素子を用いたものが主流となりつつある。
【０００３】
一方、照明装置の種類には、白熱型の電球を用いる種類と、発光素子型の電球を用いる種類とが混在していることから、発光素子型の電球を用いる種類の照明装置に対して白熱型の電球を誤って装着してしまう虞がある。
【０００４】
そこで、白熱型の電球の最大球径よりも発光素子型の電球の最大球径が小さいことを利用して、白熱型の電球の口金がソケットに対して挿入不能となるように径方向中心に向って突出する突出部からなる誤着防止手段を配置した照明装置が知られている（例えば、特許文献１参照）。
【０００５】
しかしながら、このような物質的に白熱型の電球の誤着を防止するような照明装置にあっては、例えば、一般的な口金サイズがＥ２６型の白熱電球であっても、最大径５５ｍｍのシリカ電球に対しては効果があるものの、例えば、最大径４０ｍｍのボール球（http://www.denzaido.com/cm/260140/）や、最大径４５ｍｍのサイン球（http://www.akaricenter.com/hakunetu/asahi/sign.htm）、或は、管体を蛇行又は螺旋状としたスリム型と称される白熱型の電球に対しては効果を発揮することができないなど、汎用性に問題が生じていた。
【０００６】
そこで、白熱型の電球を誤って装着した際の過熱による破損を防ぐことを目的として、所定温度を超えると電流を遮断する正の温度係数を有する一つの自己復帰型の電流遮断素子を電気回路に配置した照明装置が知られている（例えば、特許文献２参照）。
【先行技術文献】
【特許文献】
【０００７】
【特許文献１】特開２０１３−１４３２２９号公報
【特許文献２】特開２０１３−２２９１３８号公報
【発明の概要】
【発明が解決しようとする課題】
【０００８】
しかしながら、同一の口金サイズであっても、多種多様な白熱型の電球が存在する状況を考慮すると、さらなる安全性の向上が望まれる。
【０００９】
本発明は、上述のような課題を解決するために、電球の種類を誤って装着した際の過熱による破損を抑制するために、より安全性を向上させた照明装置を提供することを目的とする。
【課題を解決するための手段】
【００１０】
本発明に係る照明装置は、上記目的を達成するため、照明光源を着脱可能に照明装置本体に設けた照明装置であって、照明装置本体は、照明光源を着脱可能に保持するソケットと、ソケットに設けられて、外部電源からの電力を照明光源へと電絡する出力端子部と、外部電源から出力端子部へと向う回路構成上における高電位側又は低電位側にカスケード接続した複数の過電流保護素子と、を備えるものである。
【発明の効果】
【００１１】
本発明によれば、電球の種類を誤って装着してしまった際の過熱による破損を抑制するので、より安全性を向上できる。
【図面の簡単な説明】
【００１２】
【図１】本発明の一実施の形態に係る照明装置の側面図である。
【図２】本発明の一実施の形態に係る照明装置に適用されるソケットの縦断面図である。
【図３】本発明の一実施の形態に係る照明装置に適用されるソケットのソケットカバーを取り外した状態の要部の平面図である。
【図４】本発明の一実施の形態に係る照明装置の概略の回路図である。
【発明を実施するための形態】
【００１３】
＜概要＞
本発明の一態様に係る照明装置は、照明光源を着脱可能に照明装置本体に設けた照明装置であって、照明装置本体は、照明光源を着脱可能に保持するソケットと、ソケットに設けられて、外部電源からの電力を照明光源へと電絡する出力端子部と、外部電源から出力端子部へと向う回路構成上における高電位側又は低電位側にカスケード接続した複数の過電流保護素子とを備える。
【００１４】
他の一態様に係る照明装置において、複数の過電流保護素子は、所定の特性値以下となったときに自己復帰する復帰型である。
【００１５】
他の一態様に係る照明装置において、複数の過電流保護素子には、少なくとも高低で２つの異なった特性値を有するものを用いる。
【００１６】
他の一態様に係る照明装置において、複数の過電流保護素子のうち、特性値の低い過電流保護素子を外部電源側に配置し、特性値の高い過電流保護素子を照明光源側に配置した。
【００１７】
他の一態様に係る照明装置において、過電流保護素子には、所定温度を超えると電流を遮断する正の温度係数を有するサーミスタが用いられ、特性値の高低は、過電流保護素子の最大定格電圧（Ｖ）、保持電流値（Ａ）、トリップ電流値（Ａ）、又は、過電流保護素子そのものの過熱に対する所定温度の何れか一つ以上を基準としている。
【００１８】
他の一態様に係る照明装置において、複数の過電流保護素子には、同一の特性値を有するものを用いる。
【００１９】
他の一態様に係る照明装置において、過電流保護素子には、所定温度を超えると電流を遮断する正の温度係数を有するサーミスタが用いられる。
他の一態様に係るソケットは、照明光源の口金と係合する受口金と、受口金の裏側に配置した基板と、基板に配置した複数の過電流保護素子と、外部電源からの電力を基板へと電絡する電源線と、受口金と基板とを搭載したソケット本体と、電源線を貫通させるとともにソケット本体を嵌合状態で保持するソケットカバーとを備える。
【００２０】
＜実施の形態＞
次に、本発明の一実施形態に係る照明装置をペンダントライト型の照明装置に適用し、図面を参照して説明する。なお、以下に示す実施の形態は本発明の照明装置における好適な具体例であり、技術的に好ましい種々の限定を付している場合もあるが、本発明の技術範囲は、特に本発明を限定する記載がない限り、これらの態様に限定されるものではない。また、以下に示す実施の形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００２１】
図１において、照明装置１は、照明光源２を着脱可能に装着した照明装置本体３と、照明装置本体３を図示しない天井等から吊持するとともに外部電源からの電力を照明光源２に供給する電源線４と、を備える。
【００２２】
照明光源２は、一つ以上の発光素子（図示せず）を実装した発光素子型の電球を用いている。なお、発光素子には、例えば、面発光型のＬＥＤ素子を用いており、ユーザが所望する明るさに応じて数や色調の異なる複数種類のものを任意に選択することができる。照明光源２には、例えば、Ｅ１７口金やＥ２６口金に無色透明若しくは乳白色のカバーでＬＥＤ素子及び電源回路を覆っている。
【００２３】
照明装置本体３は、照明光源２から照射した照明光束の一部を下方に向けて拡散反射する傘部５と、傘部５を保持するとともに照明光源２を保持するソケット６と、を備える。
【００２４】
ソケット６は、図２及び図３に示すように、照明光源２の口金（図示せず）と係合する受口金７と、受口金７の裏側に配置した基板８と、基板８に配置した２つの過電流保護素子９と、外部電源からの電力を基板８へと電絡する電源線４と、受口金７と基板８とを搭載したソケット本体１０と、電源線を貫通させるとともにソケット本体１０を嵌合状態で保持するソケットカバー１１と、傘部５を下方から支持するホルダー１２と、を備える。受口金７は、高電位側電力入力端２１と接続されている出力端子１３と、低電位側電力入力端２２と接続されている受口金部１４と、で構成されている。
【００２５】
基板８には、一端を基板８に接続するとともに他端を受口金７の内部に臨ませた出力端子１３と、過電流保護素子９と、電源線４を接続する高電位側電力入力端２１及び低電位側電力入力端２２と、を実装している。
【００２６】
ソケット本体１０は、難燃性ポリカ等による樹脂の一体成型品であり、基板８を支持するベース１０ａと、ベース１０ａから立ち上がるランス状の係合爪１０ｂと、受口金７を収納状態で保持する筒状の支持部１０ｃと、を備える。また、支持部１０ｃの外周には、ホルダー１２の内周に形成した螺旋状の凸条１２ａと螺合する螺旋状の凹溝１０ｄを形成しており、ホルダー１２を軸線方向に沿って変位可能に支持する。
【００２７】
ソケットカバー１１は、難燃性ポリカ等の樹脂でドーム形状を呈しており、係合爪１０ｂと係合することでソケット本体１０と係合した状態でベース１０ａを覆うものである。ソケットカバー１１の頂上部には電源線４を貫通させて基板８の高電位側電力入力端２１及び低電位側電力入力端２２に結線するための貫通穴１１ａを備える。ソケット本体１０とソケットカバー１１とは、係合爪１０ｂにより係合されてソケット６を形成する。
【００２８】
次に、図４に基づいて、照明装置１の回路構成を説明する。外部電源ＡＣは、電源線４からソケット６に電力が供給される。ソケット６は、電力を供給する電源線４を結線する高電位側電力入力端２１、低電位側電力入力端２２、過電流保護素子９を備えた基板８と、受口金７の出力端子１３、受口金部１４を備える。なお、照明光源２の電源回路の図示及び説明は公知の技術を適用することができるため、ここでは省略する。
【００２９】
複数の過電流保護素子９は、外部電源ＡＣから出力端子１３へと向う回路構成上における高電位側（又は低電位側）にカスケード接続している。複数の過電流保護素子９は、所定の特性値以下となったときに自己復帰する復帰型であって、所定温度を超えると電流を遮断（高抵抗化による阻止）する正の温度係数を有するサーミスタ（ポリスイッチ）を用いている。
【００３０】
次に、複数の過電流保護素子９の適用例を説明する。本実施の形態において、複数の過電流保護素子９には、異なる特性値を有するものを用いている。
【００３１】
ここで、特性値とは、製造時の最大定格電圧（Ｖ）、保持電流値（Ａ）、トリップ電流値（Ａ）、又は、過電流保護素子９そのものの過熱に対する所定温度を示す。そのうえで、複数の過電流保護素子９には、意図的に少なくとも高低で２つの異なった特性値となるように、異なる種類のものを用いている。
【００３２】
例えば、本実施の形態では、規格上で少なくとも一つの特性値（例えば、所定温度）が高低で差を有するように異なる種類のものを用いている。この際、複数の過電流保護素子９のうち、特性値の低い過電流保護素子９を外部電源ＡＣ側に配置し、特性値の高い過電流保護素子９を照明光源２側に配置することが望ましい。
【００３３】
これにより、過電流保護素子９は、照明光源２が発光素子型の電球の場合と白熱型の電球の場合とで、受口金７に装着したときの電流値を感知して、白熱型の電球の場合には電流を流さないようにすることができる。
【００３４】
一方、複数の過電流保護素子９には、規格上で同一の特性値を有するものを用いてもよい。なお、ここでの規格上とは、製造時の最大定格電圧（Ｖ）、保持電流値（Ａ）、トリップ電流値（Ａ）、又は、過電流保護素子９そのものの過熱に対する所定温度、の設定値が同一の特性値であることを意味する。
【００３５】
このような構成とすれば、複数の過電流保護素子９に何らかの不具合が発生した場合に、１つの閾値であっても必ず動作させる安全性を確保することができ、照明光源２が発光素子型の電球の場合と白熱型の電球の場合とで、受口金７に装着したときの電流値を感知して、白熱型の電球の場合には電流を流さないようにすることができる。
【００３６】
ところで、本発明の照明装置１は、その趣旨を逸脱しない範囲内において、種々の変更が加えられて実施されるものである。
【００３７】
例えば、過電流保護素子９は、製造会社や製造工場の立地国が異なると、温湿度、重力、電力等の製造環境が大きく異なる。このため、規格として最大定格電圧（Ｖ）、保持電流値（Ａ）、トリップ電流値（Ａ）、又は、過電流保護素子９そのものの過熱に対する所定温度といった規格上の特性値は同一であっても、製造時の誤差を含めて多少の差が発生する場合がある。
【００３８】
したがって、規格上の特性値としては同一であっても、このような製造時の誤差を含めた実際の特性値が高低差を有するため、異なる種類のものあえて用いなくてもよい。これにより、実質的に同一の特性値でありながら、厳密には異なる特性値の複数の過電流保護素子９を用いていることとなる。
【００３９】
このため、上述した規格上で同一の特性値を有する複数の過電流保護素子９を用いている場合の1つの閾値に対する安全性の確保に加え、異なる特性値を有する複数の過電流保護素子９を用いている場合の複数の閾値に対する安全性を確保することができる。
【００４０】
これにより、過電流保護素子９は、照明光源２が発光素子型の電球の場合と白熱型の電球の場合とで、受口金７に装着したときの電流値を感知して、白熱型の電球の場合には電流を流さないようにすることができる。
【００４１】
また、復帰型の過電流保護素子９は、反応が瞬発的ではないためサージ等による誤動作を抑制することができ、一つの過熱温度に対応した閾値に対して、確実性及び安全性をより一層向上することができる。
【００４２】
しかも、複数の過電流保護素子９を、例えば、国産と海外産とのように種類を異ならせて使用することにより、製品のばらつきと信頼性に対応することができる。
【００４３】
例えば、上記実施の形態では、本発明の照明装置１としてペンダントライト型に適用したものを開示したが、例えば、ダウンライト型、アップライト型やスポットライト型などを本発明の照明装置に適用可能である。
【００４４】
また、上記実施の形態では、複数の過電流保護素子９を、高電位側に２つ直列に配置したものを開示したが、３つ以上でもよいし、高電位側と低電位側とで振り分けて配置してもよい。
【００４５】
以上説明したように、本発明に係る照明装置１は、電球の種類を誤って装着した際の過熱による破損を抑制するので、より安全性を向上させるという効果を有し、照明光源を着脱可能に照明装置本体に設けた照明装置全般に有用である。
【符号の説明】
【００４６】
１    照明装置
２    照明光源
４    電源線
６    ソケット
９    過電流保護素子
１３    出力端子部
【図１】
2017010693.tif 000003
【図２】
2017010693.tif 000004
【図３】
2017010693.tif 000005
【図４】
2017010693.tif 000006